(57)【要約】【課題】  本発明はアングル状の目地部が形成された左右の建物が、目地部が狭くなるように地震で揺れ動いても、コーナー部分の左右の天井目地カバーがスムーズに先端部が回動し、損傷するのを効率よく阻止することができるコーナー部用天井目地装置を得るにある。【解決手段】  アングル状の目地部を介して建てられた左右の建物の天井目地部を覆うコーナー部用天井目地装置において、左右の天井目地カバーのコーナー部分の端部は隙間が生じないように分離されたものを使用するとともに、該左右の天井目地カバーのいずれか一方あるいは両方を、地震時に左右の天井目地カバーが回動する場合に、コーナー部分に大きな荷重が加わるのを防止できるように、水平方向にスライド移動できるスライド移動取付具で他方の建物の外壁面に取付けてコーナー部用天井目地装置を構成している。【選択図】  図１
2013167076.tif 000002
【特許請求の範囲】
【請求項１】
アングル状の目地部を介して建てられた左右の建物の、一方の建物の天井部位の躯体に複数個の吊り下げ具によって吊り下げ固定されたアングル状の先端部が目地部側端部まで位置し、下部が目地部方向に突出する傾斜面に形成されたアングル状の先端部を有する天井材と、この天井材と対応する部位の前記他方の建物のアングル状の外壁面にコーナー部分で分離され、かつ先端部が前記天井材の先端部と当接し、地震で目地部が狭くなると、該天井材へ乗り上がるように回動する左右の天井目地カバーとからなるコーナー部用天井目地装置において、前記左右の天井目地カバーのコーナー部分の端部は隙間が生じないように分離されたものを使用するとともに、該左右の天井目地カバーのいずれか一方あるいは両方を、地震時に左右の天井目地カバーが回動する場合に、コーナー部分に大きな荷重が加わるのを防止できるように、水平方向にスライド移動できるスライド移動取付具で前記他方の建物の外壁面に取付けたことを特徴とするコーナー部用天井目地装置。
【請求項２】
左右の天井目地カバーのコーナー部分の端部に、地震時に該左右の天井目地カバーが回動する時に生ずる干渉を阻止できるガイドプレートが取付けられていることを特徴とする請求項１記載のコーナー部用天井目地装置。
【発明の詳細な説明】
【技術分野】
【０００１】
本発明はアングル状の目地部を介して建てられた左右の建物のコーナー部の天井目地部を覆うコーナー部用天井目地装置に関する。
【背景技術】
【０００２】
従来の天井目地装置は地震で左右の建物が揺れ動き、目地部が狭くなると、天井目地カバーの先端部が天井材の上部ヘ乗り上げるように回動して吸収するように構成されていた。
このように構成された天井目地装置を、アングル状の目地部を介して建てられた左右の建物に取付ける場合、コーナー部分を４５度に分離した左右の天井目地カバーを用いている。
【０００３】
しかしながら、このように構成された左右の天井目地カバーは、地震で目地部が狭くなるように揺れ動いた場合、左右の天井目地カバーのコーナー部分が干渉して動作不良が生じたり、コーナー部分の側面が衝突して損傷してしまうという欠点があった。
【先行技術文献】
【特許文献】
【０００４】
【特許文献１】特許第３４０８１８１号公報
【発明の概要】
【発明が解決しようとする課題】
【０００５】
本発明は以上のような従来の欠点に鑑み、アングル状の目地部が形成された左右の建物が、目地部が狭くなるように地震で揺れ動いても、コーナー部分の左右の天井目地カバーがスムーズに先端部が回動し、損傷するのを効率よく阻止することができるコーナー部用天井目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はアングル状の目地部を介して建てられた左右の建物の、一方の建物の天井部位の躯体に複数個の吊り下げ具によって吊り下げ固定されたアングル状の先端部が目地部側端部まで位置し、下部が目地部方向に突出する傾斜面に形成されたアングル状の先端部を有する天井材と、この天井材と対応する部位の前記他方の建物のアングル状の外壁面にコーナー部分で分離され、かつ先端部が前記天井材の先端部と当接し、地震で目地部が狭くなると、該天井材へ乗り上がるように回動する左右の天井目地カバーとからなるコーナー部用天井目地装置において、前記左右の天井目地カバーのコーナー部分の端部は隙間が生じないように分離されたものを使用するとともに、該左右の天井目地カバーのいずれか一方あるいは両方を、地震時に左右の天井目地カバーが回動する場合に、コーナー部分に大きな荷重が加わるのを防止できるように、水平方向にスライド移動できるスライド移動取付具で前記他方の建物の外壁面に取付けてコーナー部用天井目地装置を構成している。
【発明の効果】
【０００８】
以上の説明から明らかなように、本発明にあっては次に列挙する効果が得られる。
（１）請求項１により、左右の天井目地カバーのいずれか一方あるいは両方を、地震時に左右の天井目地カバーが回動する場合に、コーナー部分に大きな荷重が加わるのを防止できるようにスライド移動取付具で他方の建物の外壁面に取付けられているので、地震時に左右の天井目地カバーの先端部が天井材へ乗り上げ、上方へ回動する場合、スライド移動取付具で取付けられた左右の天井目地カバーがコーナー部分に加わる荷重によって水平方向にスライド移動して、左右の天井目地カバーをスムーズに回動させることができるとともに、コーナー部分が干渉して動作不良が発生するのを効率よく防止することができる。
（２）前記（１）により、左右の天井目地カバーの一方あるいは両方を水平方向にスライド移動できるように取付けるだけでよいので、構造が簡単で、容易に取付けることができる。
（３）請求項２も前記（１）、（２）と同様な効果が得られるとともに、ガイドプレートによって左右の天井目地カバーが重なったりする動作不良を起こす干渉を効率よく防止することができる。
【図面の簡単な説明】
【０００９】
【図１】本発明を実施するための第１の形態の平面図。
【図２】図１の２−２線に沿う断面図。
【図３】図1の３−３線に沿う断面図。
【図４】図１の４−４線に沿う断面図。
【図５】図１の５−５線に沿う断面図。
【図６】本発明を実施するための第１の形態の左右の天井目地カバーの説明図。
【図７】本発明を実施するための第１の形態の一方の目地部が狭くなる動作説明図用の平面図。
【図８】図７の８−８線に沿う断面図。
【図９】本発明を実施するための第１の形態の他方の目地部が狭くなる動作説明用の平面図。
【図１０】図９の１０−１０線に沿う断面図。
【図１１】本発明を実施するための第１の形態の目地部の一方が広くなる動作説明用の平面図。
【図１２】図１１の１２−１２線に沿う断面図。
【図１３】本発明を実施するための第２の形態の平面図。
【図１４】図１３の１４−１４線に沿う断面図。
【図１５】図１３の１５−１５線に沿う断面図。
【図１６】本発明を実施するための第３の形態の平面図。
【図１７】図１６の１７−１７線に沿う断面図。
【図１８】天井目地カバー１５Ａだけが上方へ回動した状態を示す平面図。
【図１９】図１８の１９−１９線に沿う断面図。
【発明を実施するための形態】
【００１０】
以下、図面に示す本発明を実施するための形態により、本発明を詳細に説明する。
【００１１】
図１ないし図１２に示す本発明を実施するための第１の形態において、１はアングル状の目地部２を介して建てられた左右の建物３、３Ａの、主にコーナー部分４の天井部位の目地部２を覆う本発明のコーナー部用天井目地装置で、このコーナー部用天井目地装置１は前記一方の建物３Ａの天井部位の躯体５に複数個の吊り下げ具６によって吊り下げ固定されたアングル状の先端部が目地部２側端部まで位置し、下部が目地部側方向に突出する傾斜面７に形成されたアングル状の先端部８を有する天井材９と、この天井材９と対応する部位に前記他方の建物３のアングル状の外壁面１０のコーナー部分４で分離され、かつ先端部が前記天井材９の傾斜面７の先端部と面接触するように傾斜面１１に形成され、地震で目地部２が狭くなると、該天井材９へ乗り上がるように回動するスライド移動取付具１２とヒンジ部材１３を用いた取付具１４で取付けられた左右の天井目地カバー１５、１５Ａと、前記スライド移動取付具１２で取付けられた天井目地カバー１５Ａを常時コーナー部分４方向でストッパー１６に当接するように付勢する付勢スプリング１７とで構成されている。
【００１２】
前記左右の天井目地カバー１５、１５Ａはコーナー部分４で面接触するように４５度の傾斜面に形成された端部１５ａ、１５ｂを有する左右の天井目地カバー本体１８、１８Ａと、この左右の天井目地カバー本体１８、１８Ａの端部１５ａ、１５ｂに固定された、該左右の天井目地カバー本体１８、１８Ａの厚さ寸法よりも数倍の厚さ寸法となるように上方へ突出して、左右の天井目地カバー本体１８、１８Ａの回動移動を干渉することなくスムーズに行なわせるためのガイドプレート１９、１９とで構成されている。
【００１３】
前記スライド移動取付具１２は前記アングル状の外壁面１０の一方の外壁面１０ａで、前記天井材９の位置より高い位置に水平状態となるように固定されたレール２０と、このレール２０に沿ってスライド移動する天井目地カバー本体支持体２１と、この天井目地カバー本体支持体２１に前記天井目地カバー１５Ａの先端部を上方へ回動できるように後端部を取付けるヒンジ部材２２と、一端部が前記天井目地カバー本体支持体２１の上部に取付けられ、他端部が前記天井目地カバー１５Ａのほぼ中央上面に取付けられたロープ、ワイヤー、チエーン等の、該天井目地カバー１５Ａが水平状態を保持するとともに、上方への回動を可能に支持する支持体２３とで構成されている。
【００１４】
上記構成のコーナー部用天井目地装置１は、通常時には図１ないし図３に示すように、天井材９と左右の天井目地カバー１５、１５Ａによって、ほぼ平坦面となるように天井目地部２が覆われた状態となっている。
【００１５】
地震で目地部２の一方が狭くなるように建物３Ａが揺れ動いた場合、図７および図８に示すように、スライド移動取付具１２によって取付けられた天井目地カバー１５Ａの先端部が天井材９の傾斜面７をスライド移動して回動し、天井材９へ乗り上げる。
【００１６】
この時、目地部２の他方を覆っているヒンジ部材１３で取付けられている天井目地カバー１５のコーナー部分４の端部のガイドプレート１９と接触している回動する天井目地カバー１５Ａのガイドプレート１９はスムーズにスライド移動するとともに、コーナー部分４で分離された部分に荷重が加わると、スライド移動取付具１２で取付けられた天井目地カバー１５Ａが付勢スプリング１７の付勢力に抗して水平方向に移動して、その荷重を軽減して天井目地カバー１５Ａの回動移動をスムーズにできる。
【００１７】
地震の揺れ動きが停止すると、自動的に元の状態へ戻る。
次に、地震で目地部２の他方が狭くなるように左右の建物３、３Ａが揺れ動いた場合、図９および図１０に示すように、ヒンジ部材１３で取付けられた天井目地カバー１５の先端部が天井材９の傾斜面７をスライド移動し、天井材９へ乗り上げる。
【００１８】
この時、目地部２の一方を覆っているスライド移動取付具１２で取付けられている天井目地カバー１５Ａのコーナー部分４の端部のガイドプレート１９と接触しているヒンジ部材１３で取付けられている天井目地カバー１５のガイドプレート１９はスムーズに上方へスライド移動するとともに、コーナー部分４で分離された部分に荷重が加わると、スライド移動取付具１２で取付けられた天井目地カバー１５Ａが付勢スプリング１７の付勢力に抗して水平方向に移動して、その荷重を軽減して、天井目地カバー１５の回動移動をスムーズにできる。
この場合も、地震の揺れ動きが停止すると、自動的に元の状態へ戻る。
【００１９】
なお、地震で目地部２の一方と他方とが狭くなるように左右の建物３、３Ａが揺れ動いた場合、前述の一方の目地部が狭くなった場合と他方の目地部が狭くなった状態とを重ねたような動作をして、その揺れ動きを吸収することができる。
【００２０】
地震で、目地部２の一方が広くなるように左右の建物３、３Ａが揺れ動いた場合、図１１および図１２に示すように、スライド取付具１２によって取付けられた天井目地カバー１５Ａの先端部より天井材９の先端部が離れるが、天井目地カバー１５Ａは支持体２３によってほぼ水平状態が保持された状態になっている。
【００２１】
この時、他方の目地部２のヒンジ部材１３で取付けられた天井目地カバー１５も回動することなく、水平状態になっているため、コーナー部分４に荷重が加わったりすることがない。
【００２２】
当然ながら、一方の目地部２だけが広くなった場合や、両方の目地部２が広くなった場合も同様で、左右の天井目地プレート１５、１５Ａのコーナー部分４に荷重が加わったりすることがない。
【００２３】
[発明を実施するための異なる形態]
次に、図１３ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１３ないし図１５に示す本発明を実施するための第２の形態において、前記本発明を実施するための第１の形態と主に異なる点は、他方の目地部２を覆う天井目地カバー１５を、スライド移動取付具１２を用いてアングル状の外壁面１０の他方の外壁面１０ｂに取付けた点で、このように左右の天井目地カバー１５Ａ、１５Ａをそれぞれスライド移動取付具１２、１２を用いて取付けることにより、左右の天井目地カバー１５Ａ、１５Ａの先端部が上方へ回動する時に、コーナー部分４のガイドプレート１９、１９に大きな荷重が加わるのを軽減して、スムーズに回動させることができるコーナー部用天井目地装置１Ａにしてもよい。
【００２５】
図１６ないし図１９に示す本発明を実施するための第３の形態において、前記本発明を実施するための第１の形態と主に異なる点は、左右の天井目地カバー１５、１５Ａのコーナー部分４の分離された端部１５ａ、１５ｂにガイドプレートを設置することなく、スムーズにスライド移動できる厚さ（高さ）寸法となるように設定した点で、このように構成した左右の天井目地カバー１５、１５Ａを用いたコーナー部用天井目地装置１Ｂにしても、前記本発明を実施するための第１の形態と同様な作用効果が得られる。
【００２６】
なお、左右の天井目地カバー１５、１５Ａの分離端部１５ａ、１５ｂにスベリ材として使用できる平坦な板材や合成樹脂板を固定しても同様な作用効果が得られる。
【産業上の利用可能性】
【００２７】
本発明はアングル状の目地部を介して建てられた左右の建物のアングル状の天井目地部を覆うコーナー部用天井目地装置を製造する産業で利用される。
【符号の説明】
【００２８】
１、１Ａ、１Ｂ：コーナー部用天井目地装置、
２：目地部、        ３、３Ａ：左右の建物、
４：コーナー部分、      ５：天井部位の躯体、  
６：吊り下げ具、      ７：傾斜面、
８：アングル状の先端部、    ９：天井材、
１０：アングル状の外壁面、  １１：傾斜面、
１２：スライド移動取付具、  １３：ヒンジ部材、
１４：取付具、
１５、１５Ａ：左右の天井目地カバー、
１６：ストッパー、      １７：付勢スプリング、
１８、１８Ａ：左右の天井目地カバー本体、
１９：ガイドプレート、    ２０：レール、
２１：天井目地カバー本体支持体、
２２：ヒンジ部材、      ２３：支持体。
【図１】
2013167076.tif 000003
【図２】
2013167076.tif 000004
【図３】
2013167076.tif 000005
【図４】
2013167076.tif 000006
【図５】
2013167076.tif 000007
【図６】
2013167076.tif 000008
【図７】
2013167076.tif 000009
【図８】
2013167076.tif 000010
【図９】
2013167076.tif 000011
【図１０】
2013167076.tif 000012
【図１１】
2013167076.tif 000013
【図１２】
2013167076.tif 000014
【図１３】
2013167076.tif 000015
【図１４】
2013167076.tif 000016
【図１５】
2013167076.tif 000017
【図１６】
2013167076.tif 000018
【図１７】
2013167076.tif 000019
【図１８】
2013167076.tif 000020
【図１９】
2013167076.tif 000021